(57)【要約】【課題】手にマッサージを施すことにより健康及び美容を増進するハンドケアマッサージ器を提供する。【解決手段】マッサージ器(1)はミット状の手袋(2)を構成しており、ユーザの手をマッサージ器(1)の開口部(7)から挿入室(8)に挿入すると、上部マット(5)が手の甲に密着し、下部マット(6)が手の平に密着する。上部マット(5)はヒーター(12)を内装しており、手の甲を加温する。下部マット(6)はバイブレータ(13)を内装しており、手の平に振動を与え刺激する。バイブレータ(13)の振動が下部マット(6)の外表面に伝達されるので、マッサージ器(1)を手に装着した状態で腹や肩の患部に当てることができる。【選択図】  図３
0003123204.tif 000002
【実用新案登録請求の範囲】
【請求項１】
人の手の甲を覆う上部マット(5)と手の平を覆う下部マット(6)をほぼ重ね合わせた状態で両マット(5)(6)の周縁を結合することにより、一端に開口部(7)を有する挿入室(8)を両マット(5)(6)の間に形成したミット状の手袋(2)を構成し、
下部マット(6)の内部にバイブレータ(13)を内装する一方、上部マット(5)の内部にヒーター(12)を内装し、電源から供給される電力により前記バイブレータ(13)とヒーター(12)を作動させるコントローラ(4)を備えており、
前記挿入室(8)に人の手を挿入した状態で前記コントローラ(4)を操作することにより、ヒーター(12)で手の甲を加温すると共に、バイブレータ(13)で手の平をマッサージすると同時に該バイブレータ(13)の振動を下部マット(6)の外表面に伝達させるように構成して成ることを特徴とするハンドケアマッサージ器。
【考案の詳細な説明】
【技術分野】
【０００１】
本考案は、手の甲と手の平にマッサージを施すことにより健康及び美容を増進するハンドケアマッサージ器に関する。
【背景技術】
【０００２】
従来、人の指先に刺激を与えるために、指先部分に振動板を設けたポケットを配設した手袋状の指先マッサージ器が提案されている（下記特許文献１）。
【０００３】
【特許文献１】特開２００４−１６０１２０号公報
【考案の開示】
【考案が解決しようとする課題】
【０００４】
ところで、家庭の主婦等は、炊事や洗濯等の家事により手を酷使し、健康及び美容を損なうという憂慮するべき現状にある。また、職場でコンピュータ等が多用される今日、キーボードやマウスを長時間操作すると、手が痺れたり炎症を生じたりする等、健康を阻害する現状にある。
【０００５】
このような問題を解決するためには、上記特許文献１のような指先に刺激を与えるに過ぎないマッサージ器は、ほとんど役に立たない。
【０００６】
この点に関して、本考案者は、人体のツボが集中する手の平に対して、指先から手首までのほぼ全域を振動させるマッサージ器を提供すれば、手の患部のみならず内臓に刺激が与えられると共に脳を活性化させるので、健康増進と老化防止を図ることができ、しかも、手の皮膚の美容保持に有効なことを知見した。
【０００７】
この際、振動を外部に伝達させるように構成すれば、マッサージ器を手に装着した状態で、該マッサージ器を使用者の人体の肩や腹等の患部に当てることにより、手のマッサージと同時に肩や腹等の患部をマッサージすることができ、極めて実用的となる。
【０００８】
更に、マッサージだけでなく、手を加温するように構成すれば、指先が冷たいユーザに喜ばれるだけでなく、マッサージ効果が倍増する。
【０００９】
本考案は、上記課題を解決したハンドケアマッサージ器を提供するものである。
【課題を解決するための手段】
【００１０】
そこで、本考案が手段として構成したところは、人の手の甲を覆う上部マットと手の平を覆う下部マットをほぼ重ね合わせた状態で両マットの周縁を結合することにより、一端に開口部を有する挿入室を両マットの間に形成したミット状の手袋を構成し、下部マットの内部にバイブレータを内装する一方、上部マットの内部にヒーターを内装し、電源から供給される電力により前記バイブレータとヒーターを作動させるコントローラを備えており、前記挿入室に人の手を挿入した状態で前記コントローラを操作することにより、ヒーターで手の甲を加温すると共に、バイブレータで手の平をマッサージすると同時に該バイブレータの振動を下部マットの外表面に伝達させるように構成して成る点にある。
【考案の効果】
【００１１】
本考案のマッサージ器１は、ミット状の手袋２を構成しているので、ユーザが開口部７から挿入室８に手を挿入すると、上部マット５が手の甲に密着し、下部マット６が手の平に密着する。そこで、コントローラ４によりバイブレータ１３を作動すると、指先から手首に至る手の平のほぼ全域に振動による刺激が与えられ、手の患部のみならず、手に集中するツボを介して内臓に刺激を与えると共に、脳を活性化させ、健康増進と老化防止を図り、手の皮膚の美容を保持する。
【００１２】
特に本考案によれば、ユーザが手にハンドクリームを塗り、好ましくは薄いフィルムから形成された手袋１４を装着した状態でマッサージ器１の挿入室８に挿入し、この状態でバイブレータ１３の振動を与えると、ハンドクリームが手の表面に馴染むと共に皮膚に浸透し、健康と美容を回復する。
【００１３】
また、バイブレータ１３と同時又は選択的に、ヒーター１２を作動すると、手の甲が加温され、手の血行を増進させながら冷えた指先を温めることにより健康を回復する。この際、バイブレータ１３とヒーター１２を同時に作動すると、マッサージ効果が一層向上する。
【００１４】
更に、本考案によれば、バイブレータ１３を作動したとき、その振動が下部マット６の外側にも伝達するように構成しているので、ユーザがマッサージ器１を手に装着した状態で、該マッサージ器２を肩や腹等の患部に当てることにより、手のマッサージと同時に肩や腹等の患部をマッサージすることができる。
【考案を実施するための最良の形態】
【００１５】
以下図面に基づいて本考案の好ましい実施形態を詳述する。
【００１６】
図１（Ａ）に示すように、マッサージ器１はミット状の手袋２を構成しており、後述するバイブレータ及びヒーターに対して家庭の電源から電力を供給するためのＡＣアダプター３と、電力供給を制御するためのコントローラ４を備えている。コントローラ４は、図１（Ｂ）に示すように、電源スイッチＡと、ヒータースイッチＢと、マッサージスイッチＣを独立に設けており、電源スイッチＡは、ＯＮした後、所定時間（例えば１５分）が経過すると自動的にＯＦＦとなるタイマーに接続されている。ヒータースイッチＢは、図例の場合、ＯＮ−ＯＦＦの切換え式とされているが、ヒーター温度を調節可能とするように構成しても良い。また、マッサージスイッチＣは、図例の場合、ＯＦＦ状態からバイブレータを弱振作動させるＬＯＷ位置と、強振作動させるＨＩＧＨ位置を選択可能とするように構成しているが、単純にＯＮ−ＯＦＦの切換え式としても良い。
【００１７】
図２に示すように、マッサージ器１を構成するミット状の手袋２は、人の手の甲を覆う上部マット５と手の平を覆う下部マット６をほぼ重ね合わせた状態で両マット５、６の周縁を結合することにより、一端に開口部７を有する挿入室８を両マット５、６の間に形成している。
【００１８】
上部マット５は、内皮シート５ａと外皮シート５ｂの間に繊維綿等から成るクッション材９を充填し、内外皮シート５ａ、５ｂの縁部を開口部７の部分でテープ生地５ｃを介して縫合している。
【００１９】
下部マット６は、図例の場合、内皮シート６ａと外皮シート６ｂの縁部を開口部７の部分でテープ生地６ｃを介して縫合し、図例の場合、内外皮シート６ａ、６ｂの間に繊維綿等から成るクッション材１０を充填した構成を示している。しかしながら、クッション材１０は充填しなくても良い。
【００２０】
そこで、上部マット５と下部マット６をほぼ重ね合わせた状態で、開口部７を除く周縁部において、上部マット５の内外皮シート５ａ、５ｂと下部マット６の内外皮シート６ａ、６ｂをテープ生地１１を介して縫合している。
【００２１】
上部マット５にはヒーター１２が内装されている。該ヒーター１２は、フレキシブルなシート状に構成され、内皮シート５ａに沿って設けられている。下部マット６にはバイブレータ１３が内装されている。該バイブレータ１３は、図例のように、ユーザが手の平を下部マット６の内皮シート６ａに沿わせて挿入室８に手を挿入したとき、手の平に臨むバイブレータ１３Ａと、指に臨むバイブレータ１３Ｂとから成る複数のバイブレータ１３を設けるのが好ましい。
【００２２】
前記バイブレータ１３は、電力を供給したときほぼ全体が体感振動を発生するように構成されており、内皮シート６ａに臨む多数の突起１３ａを有すると共に、外皮シート６ｂに臨む振動板１３ｂを有する。
【００２３】
上記構成に基づくマッサージ器１の使用方法と作用を説明すると、図３に示すように、ユーザが開口部７から手の平を下部マット６の内皮シート６ａに沿わせて挿入室８に手を挿入すると、挿入室８が押し広げられて手を保持する。即ち、上部マット５の内皮シート５ａが手の甲に密着し、下部マット６の内皮シート６ａが手の平に密着する。
【００２４】
上述したアダプター３を電源コンセントに差し込んで電力供給可能な状態として、コントローラ４の電源スイッチＡを入れ、ヒータースイッチＢを入れると、ヒーター１２が作動し、挿入室８に挿入した手の甲を加温する。そこで、コントローラ４のマッサージスイッチＣを入れると、バイブレータ１３が作動し、手の平に振動を与えツボを刺激する。
【００２５】
図３に示す例において、ユーザは、手にハンドクリームを塗り、好ましくは薄いフィルムから形成された手袋１４を装着した状態でマッサージ器１の挿入室８に挿入し、この状態でバイブレータ１３の振動を受けている。この際、必要に応じてヒーター１２による加温が行われる。これにより、ハンドクリームが手の表面に馴染むと共に皮膚に浸透し、健康と美容を回復する。しかしながら、ハンドクリームや手袋１４の使用は任意であり、素手を挿入室８に挿入してバイブレータ１３によるマッサージとヒーター１２による加温を行っても良い。
【００２６】
マッサージ器１は、バイブレータ１３を作動したとき、その振動が下部マット６の外皮シート６ｂに伝達するように構成されている。従って、ユーザは、マッサージ器１を手に装着した状態で、該マッサージ器１を肩や腹等の患部に当てることにより、手のマッサージと同時に肩や腹等の患部をマッサージすることができる。例えば、ユーザは、手に装着したマッサージ器１の下部マット６を、図４（Ａ）に示すように、休みながら腹に当てたり、図４（Ｂ）に示すように、テレビを見ながら太股に当てたり、図４（Ｃ）に示すように、本を読みながら肩に当てることにより、必要な患部をマッサージすることができる。この際、ユーザは、一方の手にマッサージ器１を装着した状態で、他方の手を自由に使用することができる。
【００２７】
更に、マッサージ器１は、一対のマット５、６を重ね合わせることにより全体として枕ないしクッションの形態を構成するものであるから、ユーザの手に装着した使用例の他に、該マッサージ器１を独立したものとして使用することが可能である。例えば、マッサージ器１は、ユーザが椅子やソファー等に着座した状態で、図５（Ａ）に示すように、首筋に当てたり、図５（Ｂ）に示すように、腰に当てたり、図５（Ｃ）に示すように、太股に当てることにより、必要な患部をマッサージすることができる。
【図面の簡単な説明】
【００２８】
【図１】本考案に係るマッサージ器の外観を示しており、（Ａ）は全体を示す斜視図であり、（Ｂ）はコントローラを示す拡大斜視図である。
【図２】マッサージ器の構造を示す縦断側面図である。
【図３】マッサージ器の使用状態を示す縦断側面図である。
【図４】マッサージ器をユーザの手に装着した状態での使用例を示しており、（Ａ）は腹に当てた使用例を示す斜視図、（Ｂ）は太股に当てた使用例を示す斜視図、（Ｃ）は肩に当てた使用例を示す斜視図である。
【図５】マッサージ器を独立させた状態での使用例を示しており、（Ａ）は首筋に当てた使用例を示す斜視図、（Ｂ）は腰に当てた使用例を示す斜視図、（Ｃ）は太股に当てた使用例を示す斜視図である。
【符号の説明】
【００２９】
１    マッサージ器
２    ミット状手袋
４    コントローラ
５    上部マット
５ａ  内皮シート
５ｂ  外皮シート
６    下部マット
６ａ  内皮シート
６ｂ  外皮シート
７    開口部
８    挿入室
１２  ヒーター
１３  バイブレータ
【図２】
0003123204.tif 000003
【図３】
0003123204.tif 000004
【図１】
0003123204.tif 000005
【図４】
0003123204.tif 000006
【図５】
0003123204.tif 000007